(57)【要約】【課題】方立の強度を向上した引戸枠を提供すること。【解決手段】上枠１１と、戸先側竪枠１２及び戸尻側竪枠１３と、引戸扉４を収納する戸袋の入口を形成する方立１０、１０とからなる引戸枠１において、方立１０、１０の壁材内挿入寸法Ｌ２を、外部から見える見付け寸法Ｌ１と同等以上とし、この方立１０、１０を引戸扉４の走行方向に間隔をあけて複数個所で戸袋内壁ＴＷにビス固定する。【選択図】図１
2008075421.tif 000002
【特許請求の範囲】
【請求項１】
上枠と、戸先側竪枠及び戸尻側竪枠と、引戸扉を収納する戸袋の入口を形成する方立とからなる引戸枠において、方立の壁材内挿入寸法を、外部から見える見付け寸法と同等以上とし、この方立を引戸扉走行方向に間隔をあけて複数個所で戸袋内壁にビス固定したことを特徴とする引戸枠。
【請求項２】
方立内部に芯材を充填したことを特徴とする請求項１記載の引戸枠。
【発明の詳細な説明】
【技術分野】
【０００１】
本発明は、引戸枠に関し、特に、引戸枠部材の戸袋の入口部分を形成する方立を改良した引戸枠に関するものである。
【背景技術】
【０００２】
従来の引戸枠３０を図５〜６に示す。この引戸枠３０は、上枠３２と、戸先側、戸尻側両竪枠３３、３４と、戸袋入口を形成する方立３１、３１と、該方立３１と前記戸尻側竪枠３４とを連結する巾木としての下枠３５とからなり、引戸扉４が上吊り式の場合には上枠近傍に引戸扉４の前後に配設した戸車を載置する走行用レールを配備し、床面レール式の場合には、戸先側竪枠３３から戸尻側竪枠３４にかけてそれらの下部に、引戸扉４下面に配設した走行車輪を載置するレール形状の下枠を配備してなる。
【０００３】
そして、通常これら引戸枠３０の各部材は、亜鉛メッキ鋼板を所望する形状に折り曲げて使用するもので、竪枠３３、３４と比べて方立３１、３１は中間部分が固定されておらず強度が弱い傾向にある。また、建築物の壁厚は一定に決まっているため荷重がかかる方向に方立の寸法を大きくして断面二次モーメントを大きくすることは困難であり、方立部分の強度が低く、歪みや捻れに弱い構造で、水平方向からの荷重に対して曲げが生じやすく、方立に曲がりが生じた場合には、戸袋内に進入する引戸扉が方立部分に干渉することがあるなどの問題があった。
【発明の開示】
【発明が解決しようとする課題】
【０００４】
本発明は、上記従来の引戸枠の有する問題点に鑑み、方立の強度を向上した引戸枠を提供することを目的とする。
【課題を解決するための手段】
【０００５】
上記目的を達成するため、本発明の引戸枠は、上枠と、戸先側竪枠及び戸尻側竪枠と、引戸扉を収納する戸袋の入口を形成する方立とからなる引戸枠において、方立の壁材内挿入寸法を、外部から見える見付け寸法と同等以上とし、この方立を引戸扉走行方向に間隔をあけて複数個所で戸袋内壁にビス固定したことを特徴とする。
【０００６】
この場合において、方立内部に芯材を充填することができる。
【発明の効果】
【０００７】
本発明の引戸枠によれば、上枠と、戸先側竪枠及び戸尻側竪枠と、引戸扉を収納する戸袋の入口を形成する方立とからなる引戸枠において、方立の壁材内挿入寸法を、外部から見える見付け寸法と同等以上とし、この方立を引戸扉走行方向に間隔をあけて複数個所で戸袋内壁にビス固定することによって、方立の固定部となる戸袋側幅寸法を、外部から見える見付け寸法の２倍以上とすることによって、方立の歪みや捻れに対する耐性を向上することができ、水平方向からの荷重によって容易に曲がることのない引戸枠を提供することができる。
【０００８】
また、方立内部に芯材を充填するときは断面二次モーメントを大とすることができ、撓みに対して強い構造の方立とすることができる。
【発明を実施するための最良の形態】
【０００９】
以下、本発明の引戸装置の実施の形態を、図面に基づいて説明する。なお、従来装置と同様の構造については同一の符号、一連の符号を付し説明を省略する。
【実施例１】
【００１０】
図１〜図４に、本発明の引戸枠の一実施例を示す。
この引戸枠１は、従来例と同様に上枠１１と、戸先側竪枠１２及び戸尻側竪枠１３と、戸袋入口を形成する方立１０、１０と、該方立１０と前記戸尻側竪枠１３とを連結する巾木としての下枠１４とからなり、引戸扉４が上吊り式の場合には上枠近傍に引戸扉４の前後に配設した戸車を載置する走行用レールを配備し、床面レール式の場合には、戸先側竪枠１２から戸尻側竪枠１３とにかけてそれらの下部に、引戸扉４下面に配設した走行車輪を載置するレール形状の下枠を配備してなる。
【００１１】
そして、本実施例において、方立１０、１０は、方立１０の戸袋側幅寸法Ｌ２を、外部から見える見付け寸法Ｌ１の２倍以上となるように、壁材Ｗ内挿入寸法Ｌ３を見付け寸法Ｌ１の１．５倍としている。
また、方立１０は引戸走行方向の複数個所（図２ではＲ１、Ｒ２、Ｒ３の３個所）において戸袋内壁（ＴＷ）にビス固定するようにしている。
さらに、この方立１０は、ほぼＬ字状に屈曲して構成した外材１０ａと戸袋側に位置する内材１０ｂとをモナカ状に組み合わせて構成し、組み立てに際しては、外材１０ａ内に紙状のハニカムからなる芯材２０を充填し、芯材２０と外材１０ａ及び内材１０ｂを接着固定するようにしている。
この場合、方立１０の壁材Ｗ内挿入寸法Ｌ３は見付け寸法Ｌ１と同等以上の長さがあれば複数個所での固定（Ｒ１、Ｒ２）が可能である。
【００１２】
芯材２０は、図２（ａ）に示すように、横断面Ｌ字状で、方立の長さを有するように構成するほか、図２（ｂ）に示すように、横断面が矩形状の芯材２０ａ、２０ｂとなるように分割して構成してもよく、この場合、芯材２０を特殊品として製作する必要がなく引戸枠１全体のコストダウンを図ることができる。また、芯材２０の他の例としては外材１０ａと内材１０ｂとを組み合わせておき、両端を一時的に塞いでこの中に発泡材を吹き込んで固化した発泡材が芯材となるようにしてもよい。
【００１３】
しかして、本発明の引戸枠１を使用しての施行にあたっては、施行場所に予め配置されているアンカーＡＫと、上枠１１、竪枠１２、１３及び下枠１４を溶接などの適宜手段で固定し、図４（ｂ）に示すように、方立１０、１０を下枠１４にビスＢなどの固着手段で固定する。そして、方立１０から竪枠１３までの間には補強材Ｗａを同じく下枠１４にビスＢなどの固着手段で固定する。そして、方立１０の見付け寸法Ｌ１より戸尻側竪枠１３側表面と、補強材Ｗａの表面を面一に併せ、その上に壁材Ｗを適宜手段で貼り付ける。
【００１４】
以上、本発明の引戸枠について、実施例に基づいて説明したが、本発明は上記実施例に記載した構成に限定されるものではなく、その趣旨を逸脱しない範囲において適宜その構成を変更することができるものである。
【産業上の利用可能性】
【００１５】
本発明の引戸枠は、方立の壁材内挿入寸法を、外部から見える見付け寸法と同等以上とし、歪みや捻れに対して耐性が高いという特性を有していることから、方立部分に高い強度を要求する建築現場での用途に好適に適用することができる。
【図面の簡単な説明】
【００１６】
【図１】本発明の引戸枠の一実施例を示す正面図である。
【図２】本発明の引戸枠の方立部分の平面図を示し、（ａ）は図１のＸ−Ｘ断面の一部切り欠き平面図を、（ｂ）は芯材の別の実施例を示す。
【図３】本発明の引戸枠の方立部分の図１のＹ−Ｙから見た一部切り欠き平面図である。
【図４】本発明の引戸枠の施工例を示し、（ａ）は一部切り欠き断面の平面図を、（ｂ）は（ａ）のＶ−Ｖ断面を、（ｃ）は（ａ）のＺ−Ｚ断面を示す。
【図５】従来の引戸枠を示す正面図である。
【図６】従来の引戸枠の図５におけるＱ−Ｑ断面の一部切り欠き平面図である。
【符号の説明】
【００１７】
１    引戸枠
１０  方立
１１  上枠
１２  竪枠
１３  竪枠
１４  下枠
２０  芯材
【図１】
2008075421.tif 000003
【図２】
2008075421.tif 000004
【図３】
2008075421.tif 000005
【図４】
2008075421.tif 000006
【図５】
2008075421.tif 000007
【図６】
2008075421.tif 000008